(57)【要約】  種々の空気ケア適用における悪臭低減のための組成物が、特定の態様において開示されている。【特許請求の範囲】
【請求項１】
空気ケア適用における悪臭低減用の組成物であって、
ａ．ラウリルメタクリラートを含む悪臭低減成分と、
ｂ．アドキサール（２，６，１０−トリメチル−９−ウンデセナール）、アルデヒドＣ−８、アルデヒドＣ−９、アルデヒドＣ−１０、アルデヒドＣ−１１、アルデヒドＣ−１２、アルデヒドＣ−１４、アルデヒドＣ−１６、アルデヒドＣ−１８、アリルアミルグルコラート、アリルシクロヘキシルプロピオナート、アリルヘプタノアート、酢酸アミル、アンブレトン、アンブロキサン、アミルサリチラート、バクダノール（Ｂａｃｄａｎｏｌ）、バジル油、ベンズアルデヒド、ボルネオール、ブルゲオナール（４−ｔ−ブチルベンゼンプロピオンアルデヒド）、ブッフ葉油、カシュメラン、ヒマラヤスギ葉油、桂皮アルコール、シンナムアルデヒド、シトラール、シトラサール（Ｃｉｔｒａｔｈａｌ）、シトロネラール（３，７−ジメチル６−オクテナール）、シトロネロール、シトロネリルニトリル、シトロニトリル、クロナール（Ｃｌｏｎａｌ）、クマリン、シクラール（２，４−ジメチル−３−シクロヘキセン−ｌ−カルボアルデヒド）、シクラセット（Ｃｙｃｌａｃｅｔ）、シクラメンアルデヒド（シクラマール）、シクラプロップ（Ｃｙｃｌａｐｒｏｐ）、サイマール（Ｃｙｍａｌ）、シクロサル、シクロペンタデカノン、ダマセノン、デルタ−ダマスコン、ガンマ−デカラクトン、トランス−２−デセナール、シス−４−デセナール、マロン酸ジエチル、ジヒドロジャスモン、ジヒドロミルセノール、ジヒドロミルセニルアセタート（Ｄｉｈｙｄｒｏｍｙｒｃｅｎｙｌ  ａｃｅｔａｔｅ）、ジメチルベンジルカルボニルブチラート（Ｄｉｍｅｔｈｙｌ  ｂｅｎｚｙｌ  ｃａｒｂｏｎｙｌ  ｂｕｔｙｒａｔｅ）、ジメトール、ジオクチルアジパート、トランス−２−ドデセナール、ドゥピカル（Ｄｕｐｉｃａｌ）、ダイナスコン（Ｄｙｎａｓｃｏｎｅ）、酢酸エチル、酪酸エチル、エチルリナリアセタート（Ｅｔｈｙｌ  ｌｉｎａｌｙ  ａｃｅｔａｔｅ）、エチルバニリン、エチルリナリルアセタート、ブラシル酸エチレン、酪酸エチル、カプリル酸エチル、オイゲノール、フロルヒドラル（３−（３−イソプロピル−フェニル）−ブチルアルデヒド）、フロラロゾン、フロルヒドラル、フルクトン（Ｆｒｕｃｔｏｎｅ）、ガラキソリド、ゲラニオール、ゼラニウム油、酢酸ゲラニル、ヘジオン、ヘリオナール（アルファ−メチル−３，４−（メチレンジオキシ）−ヒドロシンナムアルデヒド）、ヘルコリン（Ｈｅｒｃｏｌｙｎ）Ｄ、ヘキサデカノリド、酢酸シス−３−ヘキセニル、ヘキシルアセタート、ヘキシルシンナムアルデヒド、サリチル酸ヘキシル、ヒドロシンナムアルデヒド（３−フェニルプロパナール）、ヒドロキシシトロネラール、ヒドロキシシトロネロール、インドフロア（Ｉｎｄｏｆｌｏｒ）、アルファ−イオノン、ベータイオノン、イソブチルキノリン、イソシクロシトラール、イソＥスーパー、イソオイゲノール、イソフラグラロン（Ｉｓｏｆｒａｇｒａｒｏｎｅ）、カラナール（Ｋａｒａｎａｌ）、ラベンダー油、ラバンジン油、石灰アルデヒド（アルファ−メチル−ｐ−イソプロピルフェニルプロピルアルデヒド）、リモネン、リリア―ル（２−メチル−４−ｔ−ブチルフェニル）プロパナール）、リナロール、酢酸リナリル、リナロールオキシド、リラール（４−（４−ヒドロキシ−４−メチルペンチル）−３−シクロヘキセン−ｌ−カルボキサルデヒド）、マンザナート（Ｍａｎｚａｎａｔｅ）、メロナール（２，６−ジメチル−５−ヘプテナール）、メトキシメロナール（６−メトキシ−２，６−ジメチルヘプタナール）、メチルアセトフェノン、アントラニル酸メチル、アルファ−メチルイオノン、ガンマ−メチルイオノン、サリチル酸メチル、メチルノニルアセトアルデヒド、２−メチルウンデセナール（Ｃ−１２ＭＮＡ）、ミラックアルデヒド、２，６−ノナジエナール、２，６−ノナジエノール、オレンジテルペン、オレンジ油、オキサン、オキシオクタリンホルマート（Ｏｘｙｏｃｔａｌｉｎｅ  ｆｏｒｍａｔｅ）、オキシフェニロン（Ｏｘｙｐｈｅｎｙｌｏｎ）、オゾニル（Ｏｚｏｎｉｌ）、パッチュリ油、プチグレン油、葉柄、フェニルアセトアルデヒド、フェニルエタノール、ピノンアセトアルデヒド（Ｐｉｎｏ  ａｃｅｔａｌｄｅｈｙｄｅ）、プレシクレモンＢ、ポリサントール、ラズベリーケトン、ローズクリスタル、ロスマリン油、センテナール（Ｓｃｅｎｔｅｎａｌ）、シネンサール、スピロガルバノン（Ｓｐｉｒｏｇａｌｂａｎｏｎｅ）、スチラリルアセタート、タンゲリノール（Ｔａｎｇｅｒｉｎｏｌ）、テトラヒドロリナリルアセタート（Ｔｅｔｒａｈｙｄｒｏｌｉｎａｌｙｌ  ａｃｅｔａｔｅ）、テトラヒドロミルセノール（Ｔｅｔｒａｈｙｄｒｏｍｙｒｃｅｎｏｌ）、ｐ−トリルアルデヒド、トリシクロデシリデンブタナール、トリデセン−２−ニトリル（Ｔｒｉｃｙｃｌｏｄｅｃｙｌｉｄｅｎｅｂｕｔａｎａｌ  Ｔｒｉｄｅｃｅｎｅ−２−ｎｉｔｒｉｌｅ）、トリプラール（Ｔｒｉｐｌａｌ）、バニリン、ベルナルデヒド（Ｖｅｒｎａｌｄｅｈｙｄｅ）、ベルトシトラール（Ｖｅｒｔｏｃｉｔｒａｌ）（２，４−ジメチル−３−シクロヘキセン−ｌ−カルボキシアルデヒド）、ベルドックス（Ｖｅｒｄｏｘ）、ベルテネックス、バイオレットニトリル、ヤラヤラ、イランイランおよびこれらの組み合わせからなる群から選択される清浄化芳香成分と
を含む、組成物。
【請求項２】
空気ケア適用における悪臭低減用の組成物であって、
ａ．ラウリルメタクリラートを含む悪臭低減成分と、
ｂ．５重量％〜８０重量％で存在する１つ以上のエステルと、
ｃ．５重量％〜５５重量％で存在する１つ以上のアルデヒドと、
ｄ．５重量％〜７０重量％で存在する１つ以上のアルコールと、
ｅ．０．１重量％〜１５重量％で存在する１つ以上のケトンと、
ｆ．０．１重量％〜１５重量％で存在する１つ以上のラクトンと、
ｇ．０．１重量％〜１０重量％で存在する１つ以上のニトリルと
を含む、組成物。
【請求項３】
請求項１または請求項２記載の組成物を含む、リードディフューザ溶液。
【請求項４】
請求項１または請求項２記載の組成物を含む、香り付けキャンドル。
【請求項５】
ａ．ステアラートと、
ｂ．請求項１または請求項２記載の組成物と
を含む、香り付けゲル。
【請求項６】
ａ．貯蔵器と、
ｂ．前記貯蔵器内に収容される請求項１または請求項２記載の組成物と
を備えた、スプレー装置。
【請求項７】
空気ケア適用において悪臭を低減する方法であって、悪臭を低減するための、
ａ．０．１〜１０％、好ましくは０．５〜２％の濃度のラウリルメタクリラートと、
ｂ．アドキサール（２，６，１０−トリメチル−９−ウンデセナール）、アルデヒドＣ−８、アルデヒドＣ−９、アルデヒドＣ−１０、アルデヒドＣ−１１、アルデヒドＣ−１２、アルデヒドＣ−１４、アルデヒドＣ−１６、アルデヒドＣ−１８、アリルアミルグルコラート、アリルシクロヘキシルプロピオナート、アリルヘプタノアート、酢酸アミル、アンブレトン、アンブロキサン、アミルサリチラート、バクダノール（Ｂａｃｄａｎｏｌ）、バジル油、ベンズアルデヒド、ボルネオール、ブルゲオナール（４−ｔ−ブチルベンゼンプロピオンアルデヒド）、ブッフ葉油、カシュメラン、ヒマラヤスギ葉油、桂皮アルコール、シンナムアルデヒド、シトラール、シトラサール（Ｃｉｔｒａｔｈａｌ）、シトロネラール（３，７−ジメチル６−オクテナール）、シトロネロール、シトロネリルニトリル、シトロニトリル、クロナール（Ｃｌｏｎａｌ）、クマリン、シクラール（２，４−ジメチル−３−シクロヘキセン−ｌ−カルボアルデヒド）、シクラセット（Ｃｙｃｌａｃｅｔ）、シクラメンアルデヒド（シクラマール）、シクラプロップ（Ｃｙｃｌａｐｒｏｐ）、サイマール（Ｃｙｍａｌ）、シクロサル、シクロペンタデカノン、ダマセノン、デルタ−ダマスコン、ガンマ−デカラクトン、トランス−２−デセナール、シス−４−デセナール、マロン酸ジエチル、ジヒドロジャスモン、ジヒドロミルセノール、ジヒドロミルセニルアセタート（Ｄｉｈｙｄｒｏｍｙｒｃｅｎｙｌ  ａｃｅｔａｔｅ）、ジメチルベンジルカルボニルブチラート（Ｄｉｍｅｔｈｙｌ  ｂｅｎｚｙｌ  ｃａｒｂｏｎｙｌ  ｂｕｔｙｒａｔｅ）、ジメトール、ジオクチルアジパート、トランス−２−ドデセナール、ドゥピカル（Ｄｕｐｉｃａｌ）、ダイナスコン（Ｄｙｎａｓｃｏｎｅ）、酢酸エチル、酪酸エチル、エチルリナリアセタート（Ｅｔｈｙｌ  ｌｉｎａｌｙ  ａｃｅｔａｔｅ）、エチルバニリン、エチルリナリルアセタート、ブラシル酸エチレン、酪酸エチル、カプリル酸エチル、オイゲノール、フロルヒドラル（３−（３−イソプロピル−フェニル）−ブチルアルデヒド）、フロラロゾン、フロルヒドラル、フルクトン（Ｆｒｕｃｔｏｎｅ）、ガラキソリド、ゲラニオール、ゼラニウム油、酢酸ゲラニル、ヘジオン、ヘリオナール（アルファ−メチル−３，４−（メチレンジオキシ）−ヒドロシンナムアルデヒド）、ヘルコリン（Ｈｅｒｃｏｌｙｎ）Ｄ、ヘキサデカノリド、酢酸シス−３−ヘキセニル、ヘキシルアセタート、ヘキシルシンナムアルデヒド、サリチル酸ヘキシル、ヒドロシンナムアルデヒド（３−フェニルプロパナール）、ヒドロキシシトロネラール、ヒドロキシシトロネロール、インドフロア（Ｉｎｄｏｆｌｏｒ）、アルファ−イオノン、ベータイオノン、イソブチルキノリン、イソシクロシトラール、イソＥスーパー、イソオイゲノール、イソフラグラロン（Ｉｓｏｆｒａｇｒａｒｏｎｅ）、カラナール（Ｋａｒａｎａｌ）、ラベンダー油、ラバンジン油、石灰アルデヒド（アルファ−メチル−ｐ−イソプロピルフェニルプロピルアルデヒド）、リモネン、リリア―ル（２−メチル−４−ｔ−ブチルフェニル）プロパナール）、リナロール、酢酸リナリル、リナロールオキシド、リラール（４−（４−ヒドロキシ−４−メチルペンチル）−３−シクロヘキセン−ｌ−カルボキサルデヒド）、マンザナート（Ｍａｎｚａｎａｔｅ）、メロナール（２，６−ジメチル−５−ヘプテナール）、メトキシメロナール（６−メトキシ−２，６−ジメチルヘプタナール）、メチルアセトフェノン、アントラニル酸メチル、アルファ−メチルイオノン、ガンマ−メチルイオノン、サリチル酸メチル、メチルノニルアセトアルデヒド、２−メチルウンデセナール（Ｃ−１２ＭＮＡ）、ミラックアルデヒド、２，６−ノナジエナール、２，６−ノナジエノール、オレンジテルペン、オレンジ油、オキサン、オキシオクタリンホルマート（Ｏｘｙｏｃｔａｌｉｎｅ  ｆｏｒｍａｔｅ）、オキシフェニロン（Ｏｘｙｐｈｅｎｙｌｏｎ）、オゾニル（Ｏｚｏｎｉｌ）、パッチュリ油、プチグレン油、葉柄、フェニルアセトアルデヒド、フェニルエタノール、ピノンアセトアルデヒド（Ｐｉｎｏ  ａｃｅｔａｌｄｅｈｙｄｅ）、プレシクレモンＢ、ポリサントール、ラズベリーケトン、ローズクリスタル、ロスマリン油、センテナール（Ｓｃｅｎｔｅｎａｌ）、シネンサール、スピロガルバノン（Ｓｐｉｒｏｇａｌｂａｎｏｎｅ）、スチラリルアセタート、タンゲリノール（Ｔａｎｇｅｒｉｎｏｌ）、テトラヒドロリナリルアセタート（Ｔｅｔｒａｈｙｄｒｏｌｉｎａｌｙｌ  ａｃｅｔａｔｅ）、テトラヒドロミルセノール（Ｔｅｔｒａｈｙｄｒｏｍｙｒｃｅｎｏｌ）、ｐ−トリルアルデヒド、トリシクロデシリデンブタナール、トリデセン−２−ニトリル（Ｔｒｉｃｙｃｌｏｄｅｃｙｌｉｄｅｎｅｂｕｔａｎａｌ  Ｔｒｉｄｅｃｅｎｅ−２−ｎｉｔｒｉｌｅ）、トリプラール（Ｔｒｉｐｌａｌ）、バニリン、ベルナルデヒド（Ｖｅｒｎａｌｄｅｈｙｄｅ）、ベルトシトラール（Ｖｅｒｔｏｃｉｔｒａｌ）（２，４−ジメチル−３−シクロヘキセン−ｌ−カルボキサルデヒド）、ベルドックス（Ｖｅｒｄｏｘ）、ベルテネックス、バイオレットニトリル、ヤラヤラ、イランイランおよびこれらの組み合わせからなる群から選択される清浄化芳香成分と
を含む組成物を適用することを含む、方法。
【発明の詳細な説明】
【技術分野】
【０００１】
関連出願の相互参照
本出願は、２０１７年５月１８日出願の米国仮特許出願第６２／５０７，８６５号の優先権を主張するものであり、その全体を参照することにより、上記出願の内容全体を本明細書において援用する。
【０００２】
分野
本発明は、空気ケア適用における悪臭低減組成物および消臭組成物に関する。
【背景技術】
【０００３】
香料製造業における空気ケア部門は、近年、最も迅速に成長している市場部門のうちの１つである。消費者はますます、家庭の様々な室内において清潔かつ新鮮な雰囲気を維持する助けとなる空気ケア製品を探し求めている。多数の異なったタイプの空気ケア製品が存在するが、これは主に、取り組むべき悪臭には異なったタイプのものが存在するという事実に関連している。これは、大気中、またはカーペットおよび壁紙における、典型的な台所の空気の悪臭や、居間における悪臭から、浴室／トイレの悪臭にまで及ぶ。
【０００４】
これらの空気ケア製品の典型的な使用は家庭内であり得るものの、家庭以外での利用（例えば、産業用、レストランおよび病院の台所；オフィスの部屋；産業用、レストランおよび病院のトイレ；仮設トイレ；公共および個人の交通手段；スポーツ施設および廃棄物管理）において効果的な製品に対する需要もある。
【０００５】
これらの空気ケア製品の主な下位区分は、香り付きキャンドル、香り付きワックス溶融物、ゲル、受動的空気清浄剤、能動的空気清浄剤、ならびにエアゾールおよび非エアゾールのスプレーである。悪臭を制御／低減するための製品の製造元では、悪臭を低減するために有効であり得るものの、必ずしも悪臭を除去するとは限らない成分が使用されることがしばしばある。多くの製品において、よい香りのする香料は、悪臭のマスキングを補助するために使用されるが、悪臭は依然として残留しており、よい香りのする香料の効力がなくなった後に再び顕著になることがある。したがって、これらの香料は、悪臭に有効成分によって増強され、かつ／または一般的な香料成分のいくつかが、最終製品において、機能的な役割を担う。
【０００６】
発明の概要
本開示の態様は、悪臭低減成分および１つまたはいくつかの清浄化芳香成分を含む悪臭低減および消臭組成物に関する。その使用方法も提供される。このようなにおい改善組成物は、台所、居間、オフィス、トイレ／浴室、ロビー、ごみ集積室など、空気ケア適用において悪臭を低減し、かつ新鮮な匂いを増大させるために使用することができる。
【０００７】
特定の態様においては、空気ケアにおける悪臭低減のための組成物には、ラウリルメタクリラートおよび１つまたはいくつかの清浄化芳香成分が含まれる。
【０００８】
特定の態様においては、空気中の悪臭を低減する方法には、台所、居間、オフィス、トイレ、ロビー、ごみ集積室などにおける、悪臭低減空気ケア適用のために組成物（例えば、本明細書に説明する組成物のうちの１つ）を適用することが含まれる。
【０００９】
特定の態様においては、台所、居間、オフィス、トイレ、ロビー、ごみ集積室などにおける、空気ケア適用において悪臭を低減するための香料組成物には、悪臭低減成分および清浄化芳香成分が含まれる。例えば、悪臭低減成分は、ラウリルメタクリラートを含むことができる。
【００１０】
一態様において、アルキル基は、直鎖Ｃ１〜１０アルキル基から選択される。別の態様において、アルキル基は、分枝鎖Ｃ１〜１０アルキル基から選択される。別の態様において、アルキル基は、直鎖Ｃ１〜６アルキル基から選択される。別の態様において、アルキル基は、分枝鎖Ｃ１〜６アルキル基から選択される。別の態様において、アルキル基は、直鎖Ｃ１〜４アルキル基から選択される。別の態様において、アルキル基は、分枝鎖Ｃ１〜４アルキル基から選択される。別の態様において、アルキル基は、直鎖または分枝鎖Ｃ２〜４アルキル基から選択される。非限定的なＣ１〜１０アルキル基の例には、メチル、エチル、プロピル、イソプロピル、ブチル、ｓｅｃ−ブチル、ｔｅｒｔ−ブチル、ｉｓｏ−ブチル、３−ペンチル、ヘキシル、ヘプチル、オクチル、ノニル、デシル、およびこれらに類するものが含まれる。非限定的なＣ１〜４アルキル基の例には、メチル、エチル、プロピル、イソプロピル、ブチル、ｓｅｃ−ブチル、ｔｅｒｔ−ブチル、およびｉｓｏ−ブチルが含まれる。
【図面の簡単な説明】
【００１１】
【図１】図１は、例示としての実験セットアップ、および官能パネルによって報告された、観察された悪臭低減を示す。
【図２】図２は、例示としての実験セットアップ、および官能パネルによって報告された、観察された悪臭低減を示す。
【図３】図３は、本明細書に提示する特定の態様による配合物を用いた際の悪臭の知覚の低減を示す官能試験の結果を示す。
【図４】図４は、本明細書に提示する特定の態様による配合物を用いた際の悪臭の知覚の低減を示す官能試験の結果を示す。
【図５】図５は、例示としての実験セットアップ、および官能パネルによって報告された、観察された悪臭低減を示す。
【図６】図６は、例示としての実験セットアップ、および官能パネルによって報告された、観察された悪臭低減を示す。
【図７】図７は、例示としての実験セットアップ、および官能パネルによって報告された、観察された悪臭低減を示す。
【図８】図８は、例示としての実験セットアップ、および官能パネルによって報告された、観察された悪臭低減を示す。
【図９】図９は、例示としての実験セットアップ、および官能パネルによって報告された、観察された悪臭低減を示す。
【図１０】図１０は、例示としての実験セットアップ、および官能パネルによって報告された、観察された悪臭低減を示す。
【発明を実施するための形態】
【００１２】
以下の記載では、実施されうる具体的な態様が参照されており、これを説明の目的で示している。これらの態様は、当業者が、本明細書に記載されている本発明を実施することができるよう、詳細に説明されており、他の態様を利用することができること、および本明細書に提示される態様の範囲から逸脱することなく論理的な変更を行うことができることは、理解されるべきである。したがって、例示的な態様に関する以下の記載は、限定された意味でとられるべきでなく、本明細書に提示される種々の態様は、添付の特許請求の範囲によって定義される。
【００１３】
要約は、読者が技術的開示の性質および要旨を迅速に確認することができるよう、米国特許法施行規則第１．７２条（ｂ）に準拠して提供されている。要約は、特許請求の範囲または意味を解釈または限定するために使用されるものではないとの理解で提出されている。
【００１４】
本開示の目的に関して、単独でまたは別の基の一部として使用される「アルキル」および「炭化水素」という用語は、１〜１２個の炭素原子（すなわち、Ｃ１〜１２アルキル）または指定される炭素原子の数（すなわち、メチルなどのＣ１アルキル、エチルなどのＣ２アルキル、プロピルもしくはイソプロピルなどのＣ３アルキル、など）を含有する直鎖または分枝鎖脂肪族炭化水素を指す。
【００１５】
本開示の目的に関して、単独でまたは別の基の一部として使用される「アミノ」または「アミン」という用語は、−ＮＨ２を指す。
【００１６】
本明細書に開示されている化合物のうちのいくつかは、１つ以上の不斉中心を含有することができ、したがって、鏡像異性体、ジアステレオマー、および他の立体異性体を生じることができる。本開示は、このような起こり得るすべての形態、これらのラセミ体および光学分割された異性体ならびにそれらの混合物の使用を包含するよう意図される。個々の鏡像異性体は、本開示を考慮した、当技術分野で公知の方法によって分離することができる。本明細書に記載されている化合物がオレフィン二重結合または他の幾何的不斉中心を含有するとき、および特に記載がない限り、本明細書に記載されている化合物は、Ｅ幾何異性体およびＺ幾何異性体の両方を含むことが企図されている。互変異性体はすべて、同様に本開示によって包含されることが企図されている。
【００１７】
本明細書で使用する場合、「立体異性体」という用語は、空間内の立体異性体の原子の向きにおいてのみ異なっている個々の分子の異性体すべてについての一般的な用語である。該用語は、互いに鏡像ではない１つを超えるキラル中心を有する化合物の鏡像異性体および異性体を含む（ジアステレオマー）。
【００１８】
「キラル中心」という用語は、４つの異なる基が付着している炭素原子を指す。
【００１９】
「鏡像異性体」および「鏡像異性の」という用語は、その鏡像に関して重なることができず、したがって、該鏡像が一方向において偏光平面を回転させ、その鏡像化合物が偏光した光の平面を反対方向において回転させるよう光学的に活性がある分子を指す。
【００２０】
「ラセミの」という用語は、鏡像異性体の等しい割合の混合物を指し、該混合物は光学的に不活性である。
【００２１】
「約」という用語は、測定された量と関連して本明細書で使用する場合、測定を行い、測定の目的および測定機器の精度と同一基準の取り扱いレベルを遂行する当業者によって予想されるように、該測定された量における通常の変動を指す。
【００２２】
特定の態様は、空気ケア適用における悪臭低減のための組成物であって、悪臭低減成分および清浄化芳香成分を含む組成物に向けられている。
【００２３】
特定の態様において、悪臭低減成分には、ｎ−ドデシルメタクリラート（ラウリルメタクリラート）が含まれる。ラウリルメタクリラートは通常、重合体組成物または共重合体組成物（例えば、洗剤中のポリ（ラウリルメタクリラート））の一部として利用される。開示された態様において、ラウリルメタクリラートは、悪臭を低減させるためにその単量体形態で利用される。
【００２４】
特定の態様において、清浄化芳香成分には、１つ以上の芳香化合物が含まれており、これには、揮発性アルデヒド、エステル、ケトン、アルコール、炭化水素、ラクトン、およびニトリルの混合物が含まれることができる。揮発性アルデヒドが、化学反応を介して気相および／または液相において悪臭を中和させることができることは公知である。揮発性アルデヒドは、シッフ塩基形成の経路に従って、アミン系の匂いと反応することができる。揮発性アルデヒドは、硫黄系の匂いと反応して、気相および／または液相におけるチオールアセタール、ヘミチオールアセタール、およびチオエステルを形成することもできる。アルコールは、悪臭性アルデヒドと化学的に反応することができる。加えて、多くのアルデヒドおよび他の芳香材料は、悪臭成分をマスキングするのを助け、したがって、個々の空気ケア製品を使用することによって室内の空気を清浄化するのを助けることができる強力な匂い物質でもある。
【００２５】
脱臭成分として使用することができる例示としての揮発性芳香材料には、アドキサール（２，６，１０−トリメチル−９−ウンデセナール）、アルデヒドＣ−８、アルデヒドＣ−９、アルデヒドＣ−１０、アルデヒドＣ−１１、アルデヒドＣ−１２、アルデヒドＣ−１４、アルデヒドＣ−１６、アルデヒドＣ−１８、アリルアミルグルコラート、アリルシクロヘキシルプロピオナート、アリルヘプタノアート、酢酸アミル、アンブレトン、アンブロキサン、アミルサリチラート、バクダノール（Ｂａｃｄａｎｏｌ）、バジル油、ベンズアルデヒド、ボルネオール、ブルゲオナール（４−ｔ−ブチルベンゼンプロピオンアルデヒド）、ブッフ葉油、カシュメラン、ヒマラヤスギ葉油、桂皮アルコール、シンナムアルデヒド、シトラール、シトラサール（Ｃｉｔｒａｔｈａｌ）、シトロネラール（３，７−ジメチル６−オクテナール）、シトロネロール、シトロネリルニトリル、シトロニトリル、クロナール（Ｃｌｏｎａｌ）、クマリン、シクラール（２，４−ジメチル−３−シクロヘキセン−ｌ−カルボアルデヒド）、シクラセット（Ｃｙｃｌａｃｅｔ）、シクラメンアルデヒド（シクラマール）、シクラプロップ（Ｃｙｃｌａｐｒｏｐ）、サイマール（Ｃｙｍａｌ）、シクロサル、シクロペンタデカノン、ダマセノン、デルタ−ダマスコン、ガンマ−デカラクトン、トランス−２−デセナール、シス−４−デセナール、マロン酸ジエチル、ジヒドロジャスモン、ジヒドロミルセノール、ジヒドロミルセニルアセタート（Ｄｉｈｙｄｒｏｍｙｒｃｅｎｙｌ  ａｃｅｔａｔｅ）、ジメチルベンジルカルボニルブチラート（Ｄｉｍｅｔｈｙｌ  ｂｅｎｚｙｌ  ｃａｒｂｏｎｙｌ  ｂｕｔｙｒａｔｅ）、ジメトール、ジオクチルアジパート、トランス−２−ドデセナール、ドゥピカル（Ｄｕｐｉｃａｌ）、ダイナスコン（Ｄｙｎａｓｃｏｎｅ）、酢酸エチル、酪酸エチル、エチルリナリルアセタート、エチルバニリン、エチルリナリルアセタート、ブラシル酸エチレン、酪酸エチル、カプリル酸エチル、オイゲノール、フロルヒドラル（３−（３−イソプロピル−フェニル）−ブチルアルデヒド）、フロラロゾン、フロルヒドラル、フルクトン（Ｆｒｕｃｔｏｎｅ）、ガラキソリド、ゲラニオール、ゼラニウム油、酢酸ゲラニル、ヘジオン、ヘリオナール（アルファ−メチル−３，４−（メチレンジオキシ）−ヒドロシンナムアルデヒド）、ヘルコリン（Ｈｅｒｃｏｌｙｎ）Ｄ、ヘキサデカノリド、酢酸シス−３−ヘキセニル、ヘキシルアセタート、ヘキシルシンナムアルデヒド、サリチル酸ヘキシル、ヒドロシンナムアルデヒド（３−フェニルプロパナール）、ヒドロキシシトロネラール、ヒドロキシシトロネロール、インドフロア（Ｉｎｄｏｆｌｏｒ）、アルファ−イオノン、ベータイオノン、イソブチルキノリン、イソシクロシトラール、イソＥスーパー、イソオイゲノール、イソフラグラロン（Ｉｓｏｆｒａｇｒａｒｏｎｅ）、カラナール（Ｋａｒａｎａｌ）、ラベンダー油、ラヴァンジン油、石灰アルデヒド（アルファ−メチル−ｐ−イソプロピルフェニルプロピルアルデヒド）、リモネン、リリア―ル（２−メチル−４−ｔ−ブチルフェニル）プロパナール）、リナロオール、酢酸リナリル、リナロオールオキシド、リラール（４−���４−ヒドロキシ−４−メチルペンチル）−３−シクロヘキセン−ｌ−カルボキサルデヒド）、マンザナート（Ｍａｎｚａｎａｔｅ）、メロナール（２，６−ジメチル−５−ヘプテナール）、メトキシメロナール（６−メトキシ−２，６−ジメチルヘプタナール）、メチルアセトフェノン、アントラニル酸メチル、アルファ−メチルイオノン、ガンマ−メチルイオノン、サリチル酸メチル、メチルノニルアセトアルデヒド、２−メチルウンデセナール（Ｃ−１２ＭＮＡ）、ミラックアルデヒド、２，６−ノナジエナール、２，６−ノナジエノール、オレンジテルペン、オレンジ油、オキサン、オキシオクタリンホルマート（Ｏｘｙｏｃｔａｌｉｎｅ  ｆｏｒｍａｔｅ）、オキシフェニロン（Ｏｘｙｐｈｅｎｙｌｏｎ）、オゾニル（Ｏｚｏｎｉｌ）、パッチュリ油、プチグレン油、葉柄、フェニルアセトアルデヒド、フェニルエタノール、ピノンアセトアルデヒド、プレシクレモンＢ、ポリサントール、ラズベリーケトン、ローズクリスタル、ローズマリー油、センテナール（Ｓｃｅｎｔｅｎａｌ）、シネンサール、スピロガルバノン（Ｓｐｉｒｏｇａｌｂａｎｏｎｅ）、スチラリルアセタート、タンゲリノール（Ｔａｎｇｅｒｉｎｏｌ）、テトラヒドロリナリルアセタート（Ｔｅｔｒａｈｙｄｒｏｌｉｎａｌｙｌ  ａｃｅｔａｔｅ）、テトラヒドロミルセノール（Ｔｅｔｒａｈｙｄｒｏｍｙｒｃｅｎｏｌ）、ｐ−トリルアルデヒド、トリシクロデシリデンブタナール、トリデセン−２−ニトリル（Ｔｒｉｃｙｃｌｏｄｅｃｙｌｉｄｅｎｅｂｕｔａｎａｌ  Ｔｒｉｄｅｃｅｎｅ−２−ｎｉｔｒｉｌｅ）、トリプラール（Ｔｒｉｐｌａｌ）、バニリン、ベルナルデヒド（Ｖｅｒｎａｌｄｅｈｙｄｅ）、ベルトシトラール（Ｖｅｒｔｏｃｉｔｒａｌ）（２，４−ジメチル−３−シクロヘキセン−ｌ−カルボキサルデヒド）、ベルドックス（Ｖｅｒｄｏｘ）、ベルテネックス、バイオレットニトリル、ヤラヤラ、イランイラン（Ｙｌａｎｇ）、およびこれらの組み合わせからなる群から選択される清浄化芳香成分が含まれるが、これらに限定されない。
【００２６】
特定の態様において、清浄化芳香成分は、１つ以上の芳香化合物を含み、該芳香化合物は、揮発性アルデヒド、エステル、ケトン、アルコール、ラクトン、エーテル、炭化水素、ラクトン、ニトリル、および他の化学クラスからなる混合物を含むことができる。揮発性アルデヒドは、気相および／または液相において化学反応を介して悪臭を中和させることができる。揮発性アルデヒドは、シッフ塩基形成の経路に従って、アミン系の匂いと反応することができる。揮発性アルデヒドは、気相および／または液相において硫黄系の匂いと反応して、チオールアセタール、ヘミチオールアセタール、およびチオエステルを形成することもできる。アルコールは、悪臭性アルデヒドと化学的に反応することができる。加えて、多くのアルデヒドおよび他の芳香材料は、悪臭成分をマスキングするのを助けることができるため、周辺空気の悪臭を清浄化する助けとなることができる強力な匂い物質でもある。
【００２７】
特定の態様において、清浄化芳香成分は、アルデヒド、エステル、またはアルコールのうちの１つ以上を含む。特定の態様において、アルデヒド、エステル、またはアルコールのうちの１つ以上は、組成物中に１重量％〜９５重量％で存在する。一態様において、１つ以上のエステルは、組成物中に５重量％〜８０重量％、１０重量％〜７０重量％、２０重量％〜６０重量％、または３０重量％〜６０重量％で存在することができる。一態様において、１つ以上のアルデヒドは、組成物中に５重量％〜５５重量％、１０重量％〜５０重量％、２０重量％〜４５重量％、または３０重量％〜４０重量％で存在することができる。一態様において、１つ以上のアルコールは、組成物中に５重量％〜７０重量％、１０重量％〜６０重量％、２０重量％〜５０重量％、または３０重量％〜４０重量％で存在することができる。一態様において、１つ以上のケトンは、組成物中に０．１重量％〜１５重量％、０．５重量％〜１０重量％、１重量％〜７．５重量％、または、２重量％〜５重量％で存在することができる。一態様において、１つ以上のラクトンは、組成物中に、０．１重量％〜１５重量％、０．５重量％〜１０重量％、１重量％〜７．５重量％、または、２重量％〜５重量％で存在することができる。一態様において、１つ以上のニトリルは、組成物中に、０．１重量％〜１０重量％、０．５重量％〜７．５重量％、１重量％〜５重量％、または、２重量％〜５重量％で存在することができる。
【００２８】
本発明を以下に詳説するが、本発明はこれらの実施例に限定されるものではない。
【実施例】
【００２９】
実施例１：本明細書に提示されている特定の態様による組成物を用いた悪臭低減
初期の実験セットアップにおける台所の悪臭低減を評価するために（第１部）、口径が２オンスのジャーの中にある綿球上に悪臭参照物（ニンニク組成物）を置いた。ステアラートゲル基剤へ７％の芳香物質を添加することによって本明細書に記載されている実施形態に従った芳香試料を製造し、口径が２オンスのジャーの中へ２５グラムを入れた。０（悪臭なし）〜１０（高レベルの悪臭）の格付けシステムを適用した。官能パネルは、平均して１５名からなっていた。様々な芳香配合物を同一の悪臭アコードとともに用いることによって、２７〜４２％の有意な量で悪臭の低減が官能的に評価された。
【００３０】
初期の実験セットアップにおいてトイレの悪臭低減を評価するために（第１部）、口径が２オンスのジャーの中にある綿球上に悪臭参照物（スカトール）を置いた。ゲル基剤に７％の芳香物質を添加することによって芳香試料を製造し、口径が２オンスのジャーの中へ２５グラムを入れた。０（悪臭なし）〜１０（高レベルの悪臭）の格付けシステムを適用した。官能パネルは、平均して１５名からなっていた。様々な芳香配合物を同一の悪臭アコードとともに用いることによって、４２〜４５％の有意な量で、かつより一貫して悪臭の低減が官能的に評価された。
【００３１】
初期の実験セットアップにおける台所の悪臭低減を評価するさらなる実験において（第２部）、口径が２オンスのジャーの中にある綿球上に悪臭参照物（ニンニク組成物）を置いた。ステアラートゲル基剤へ７％の芳香物質を添加することによって芳香試料を製造し、口径が２オンスのジャーの中に２５グラムを入れた。０（悪臭なし）〜１０（高レベルの悪臭）の格付けシステムを適用した。官能パネルは、平均して１５名からなっていた。様々な芳香配合物を異なった悪臭アコードとともに用いることによって、５３〜６３％の有意な、かつ一貫した量で悪臭の低減が官能的に評価された。
【００３２】
初期の実験セットアップにおいてトイレの悪臭低減を評価するさらなる実験において（第２部）、口径が２オンスのジャーの中にある綿球上に悪臭参照物（スカトール）を置いた。ゲル基剤へ７％の芳香物質を添加することによって芳香試料を製造し、口径が２オンスのジャーの中に２５グラムを入れた。０（悪臭なし）〜１０（高レベルの悪臭）の格付けシステムを適用した。官能パネルは、平均して１５名からなっていた。様々な芳香配合物を異なった悪臭アコードとともに用いることによって、４９〜５７％の有意な、かつ一貫した量で悪臭の低減が官能的に評価された。
【００３３】
初期の実験セットアップにおいて、悪臭アコードおよび芳香アコードを最適化した後に台所の悪臭低減を評価するさらなる実験において（第３部）、口径が２オンスのジャーの中にある綿球上に悪臭参照物（スカトール）を置いた。ステアラートゲル基剤へ７％の芳香物質を添加することによって芳香試料を製造し、口径が２オンスのジャーの中に２５グラムを入れた。０（悪臭なし）〜１０（高レベルの悪臭）の格付けシステムを適用した。これと同時に、０（芳香なし）〜１０（高レベルの芳香）の芳香の匂いの強度についての格付けシステムを適用した。官能パネルは、平均して１５名からなっていた。今回は様々な芳香配合物を異なった悪臭アコードとともに用いることによって、芳香の強度および悪臭の強度を評価するよう、パネリストに依頼した。パネリストは、悪臭対照をまず嗅ぎ、次に無作為な順序で試料を嗅いだ。対照における悪臭のレベルが１０と格付けされることになっていることを考慮して、試料中の芳香とは無関係に悪臭のレベルを格付けするよう、パネリストに依頼した。また、各芳香試料に先立って対照を嗅ぐよう、パネリストに依頼した。これらの実験において、６７〜７２％の有意な量で悪臭低減は官能的に評価されたのに対し、芳香強度は６２〜６９％で維持された。
【００３４】
図１に、該セットアップがどのようにして実施され、パネルが悪臭低減をどのようにして格付けしたかを例示的に示す。
【００３５】
芳香試料を、次のとおりに作製した。
【００３６】
１．  ０．１重量％のラウリルメタクリラートを含有する７％の芳香アコード（図１における「芳香１」）。これは、Ｎｅｕｔｒａｚｉｎｅ  ０．１％を含有する。
【００３７】
２．  ０．１重量％のラウリルメタクリラートを含有する８５重量％の芳香アコード＋１５重量％の第１の悪臭低減除去アコード、および
３．  ０．１重量％のラウリルメタクリラートを含有する８５重量％の芳香アコード＋１５重量％の第２の悪臭低減除去アコード（図１における「芳香３」）。
【００３８】
第１および第２の悪臭低減除去アコードは、悪臭を低減するよう設計された芳香化合物からなっていた。
【００３９】
初期の実験セットアップにおいて、悪臭アコードおよび芳香アコードを最適化した後にトイレの悪臭低減を評価するさらなる実験において（第３部）、口径が２オンスのジャーの中にある綿球上にトイレ参照物（スカトール）を置いた。ステアラートゲル基剤へ７％の芳香物質を添加することによって芳香試料を製造し、口径が２オンスのジャーの中に２５グラムを入れた。０（悪臭なし）〜１０（高レベルの悪臭）の格付けシステムを適用した。これと同時に、０（芳香なし）〜１０（高レベルの芳香）の芳香の匂いの強度についての格付けシステムを適用した。官能パネルは、平均して１５名からなっていた。今回は様々な芳香配合物を異なった悪臭アコードとともに用いることによって、芳香の強度および悪臭の強度を評価するよう、パネリストに依頼した。パネリストは、悪臭対照をまず嗅ぎ、次に無作為な順序で試料を嗅いだ。対照における悪臭のレベルが１０と格付けされることになっていることを考慮して、試料中の芳香とは無関係に悪臭のレベルを格付けするよう、パネリストに依頼した。また、各芳香試料に先立って対照を嗅ぐよう、パネリストに依頼した。これらの実験において、５２〜５８％の有意な量で悪臭低減は官能的に評価されたのに対し、芳香強度は６１〜７１％で維持された。
【００４０】
図２は、該セットアップがどのようにして実施され、パネルが悪臭低減をどのようにして格付けしたかを例示的に示す。
【００４１】
芳香試料を、次のとおりに作製した。
【００４２】
１．  ０．１重量％のラウリルメタクリラートを含有する７％の芳香アコード（図１における「芳香１」）。これは、Ｎｅｕｔｒａｚｉｎｅ  ０．１％を含有する。
【００４３】
２．  ０．１重量％のラウリルメタクリラートを含有する８５重量％の芳香アコード＋１５重量％の第１の悪臭低減除去アコード、および
３．  ０．１重量％のラウリルメタクリラートを含有する８５重量％の芳香アコード＋１５重量％の第２の悪臭低減除去アコード（図１における「芳香３」）。
【００４４】
第１および第２の悪臭低減除去アコードは、悪臭を低減するよう設計された芳香化合物からなっていた。
【００４５】
これらの初期の実験は、最終的な芳香の一部としての個々の悪臭アコード全体が台所およびトイレの悪臭を低減するよう有意に作用することを示している。これらの初期の実験は、芳香の匂いが元の強度でもはや知覚されないのに対し、６１〜７１％の範囲でなおも知覚されることも示している。これらの実験から得られる結論は、活性のある悪臭低減と、強力な芳香材料により悪臭を「マスキングすること」とを組み合わせることによって、悪臭低減効果が達成されると解釈される。
【００４６】
実施例２：本明細書に提示する特定の態様による組成物を用いた悪臭低減
配合物を、次の通り調合した。
【００４７】
１．  ０．１重量％のラウリルメタクリラートを含有する７％の毛羽立ち綿芳香物質（「元」、図３の上方のパネルにおける左のバー）、
２．  ０．１重量％のラウリルメタクリラートと１５重量％の第１の悪臭低減除去アコードとを含有する、７％の毛羽立ち綿芳香物質物質（「元＋アコード１５％」、図３の上方のパネルにおける中央のバー）、
３．  ０．１重量％のラウリルメタクリラートを含有する７％のスパークリングシトラス芳香物質（「元」、図３の中央のパネルにおける左のバー）、
４．  ０．１重量％のラウリルメタクリラートと１５重量％の第１の悪臭低減除去アコードとを含有する、７％のスパークリングシトラス芳香物質（「元＋アコード１５％」、図３の中央のパネルにおける中央のバー）、
５．  ０．１重量％のラウリルメタクリラートを含有する７％のバンブーレイン芳香物質（「元」、図３の下方のパネルにおける左のバー）、および
６．  ０．１重量％のラウリルメタクリラートと１５重量％の第１の悪臭低減除去アコードを含有する、７％のバンブーレイン芳香物質（「元＋アコード１５％」、図３の下方のパネルにおける中央のバー）。
【００４８】
ステアラートゲル基剤へ７％の芳香物質を添加することによって試料を調製し、口径が２オンスのジャーの中へ２５ｇを入れた。口径が２オンスのジャーの中にある綿球上に悪臭配合物を置いた。試料を悪臭と一緒にラバーメイド（Ｒｕｂｂｅｒｍａｉｄ）の容器の中に入れた。評価に先立って、ジャーを２時間開放しておいた。検査した台所の悪臭はニンニク油を含んでおり（図３の左側のパネル）、トイレの悪臭は１０％（ｗ／ｗ）のスカトール溶液を含んでいた（図３の右側のパネル）。先の試料１〜試料６を、０．１ｇの悪臭配合物の存在下で評価した。対照試料は、０．０２ｇの台所臭配合物または０．０５ｇのトイレ／浴室の悪臭配合物を含んでいた（図３のパネルにおける右側のバー）。
【００４９】
第１および第２の悪臭低減除去アコードは、悪臭を低減するよう設計された芳香化合物からなっていた。
【００５０】
悪臭対照、次いで無作為な順序で試料を嗅ぐよう、パネリストに依頼した。芳香レベルとは無関係に悪臭レベルを格付けするよう、パネリストに依頼した。悪臭対照の強度も格付けするよう、パネリストに依頼した。本結果を図３に示す。
【００５１】
悪臭対照は、すべての場合において、強度のレベルがわずかなであるにもかかわらず、最高の格付けを有しており、このことは、いずれの芳香配合物も悪臭の知覚を低減することを示している。毛羽立ち綿芳香物質を含む試料において、芳香中の０．１重量％のラウリルメタクリラートの存在は、台所またはトイレのいずれの悪臭の知覚においても認められた低減に対する効果を有するようには見えず、先の配合物１を用いて認められた悪臭低減の程度は、先の配合物２を用いて認められた悪臭低減の程度と類似していた。
【００５２】
対照的に、スパークリングシトラス芳香物質を含む試料において、０．１重量％のラウリルメタクリラートは悪臭アコードによってトイレの悪臭の知覚低減を増強するように思われ、先の配合物４を用いた場合に被験者によって認められたトイレ／浴室の悪臭の知覚の低減の程度は、先の配合物３を用いた場合に被験者によって認められたトイレ／浴室の悪臭の知覚の低減と比較して、増強するように思われる。トイレ／浴室の悪臭の知覚の低減の同様の増強は、バンブーレイン芳香物質においても認められ、先の配合物６を用いた場合に被験者によって認められたトイレ／浴室の悪臭の知覚低減の程度は、先の配合物５を用いた場合に被験者によって認められたトイレ／浴室の悪臭の知覚低減と比較して増強された。
【００５３】
次に、２５重量％の第１の悪臭低減除去アコードを用いて０．１重量％のラウリルメタクリラートを含有する芳香配合物を検査した。試料を悪臭と一緒にラバーメイド容器の中に入れた。評価に先立ってジャーを２時間開放しておいた。パネリストに悪臭対照、次いで無作為な順序で試料を嗅ぐよう依頼した。対照における悪臭のレベルが１０と格付けされることになっていることを考慮して、試料瓶中の芳香とは無関係に悪臭のレベルを格付けするよう、パネリストに依頼した。また、各芳香試料に先立って対照を嗅ぐよう、パネリストに依頼した。
【００５４】
配合物を、次の通り調合した。
【００５５】
１．  ０．１重量％のラウリルメタクリラートを含有する７％の毛羽立ち綿芳香物質（「元」、図４の上方のパネルにおける左のバー）、
２．  ０．１重量％のラウリルメタクリラートと１５重量％の第１の悪臭低減除去アコードとを含有する、７％の毛羽立ち綿芳香物質（「元＋アコード１５％」、図４の上方のパネルにおける左から２番目のバー）、
３．  ０．１重量％のラウリルメタクリラートと２５重量％の第１の悪臭低減除去アコードとを含有する、７％の毛羽立ち綿芳香物質（「元」、図４の上方のパネルにおける左から３番目のバー）、
４．  ０．１重量％のラウリルメタクリラートを含有する７％のスパークリングシトラス芳香物質（「元」、図４の中央のパネルにおける左のバー）、
５．  ０．１重量％のラウリルメタクリラートと１５重量％の第１の悪臭低減除去アコードとを含有する、７％のスパークリングシトラス芳香物質（「元＋アコード１５％」、図４の中央のパネルにおける左から２番目のバー）、
６．  ０．１重量％のラウリルメタクリラートと２５重量％の第１の悪臭低減除去アコードとを含有する、７％のスパークリングシトラス芳香物質（「元＋アコード１５％」、図４の中央のパネルにおける左から３番目のバー）、
７．  ０．１重量％のラウリルメタクリラートを含有する７％のバンブーレイン芳香物質（「元」、図４の下方のパネルにおける左のバー）、
８．  ０．１重量％のラウリルメタクリラートと１５重量％の第１の悪臭低減除去アコードとを含有する、７％のバンブーレイン芳香物質（「元＋アコード１５％」、図４の下方のパネルにおける左から２番目のバー）、および
９．  ０．１重量％のラウリルメタクリラートと２５重量％の第１の悪臭低減除去アコードとを含有する、７％のバンブーレイン芳香物質（「元＋アコード１５％」、図４の下方のパネルにおける左から３番目のバー）。
【００５６】
ステアラートゲル基剤へ７％の芳香物質を添加することによって試料を調製し、口径が２オンスのジャーの中へ２５ｇを入れた。口径が２オンスのジャーの中にある綿球上に悪臭配合物を置いた。試料を悪臭と一緒にラバーメイド容器の中に入れた。評価に先立って、ジャーを２時間開放しておいた。検査した台所臭はニンニク油を含んでおり（図４の左側のパネル）、トイレ／浴室の悪臭は１０％（ｗ／ｗ）のスカトール溶液を含んでいた（図４の右側のパネル）。先の試料１〜試料６を０．１ｇの悪臭配合物の存在下で評価した。対照試料は、０．０２ｇの台所臭配合物または０．０５ｇのトイレ／浴室の悪臭配合物を含んでいた（図４のパネルにおける右側のバー）。第１および第２の悪臭低減除去アコードは、悪臭を低減するよう設計された芳香化合物からなっていた。
【００５７】
パネリストに、悪臭対照、次いで無作為な順序で試料を嗅ぐよう依頼した。芳香レベルとは無関係に悪臭レベルを格付けするよう、パネリストに依頼した。また、悪臭対照の強度を格付けするよう、パネリストに依頼した。本結果を図４に示す。
【００５８】
悪臭対照は、すべての場合において、強度のレベルがわずかなであるにもかかわらず最高の格付けを有しており、このことは、芳香配合物はすべて、悪臭の知覚を低減することを示している。毛羽立ち綿芳香物質を含む試料において、芳香中の０．１重量％のラウリルメタクリラートの存在は、台所またはトイレ／浴室のいずれの悪臭の知覚においても認められた低減に対する効果を有するようには見えず、先の配合物１を用いて認められた悪臭低減の程度は、先の配合物２を用いて認められた悪臭低減の程度と類似していた。
【００５９】
対照的に、スパークリングシトラス芳香物質を含む試料において、０．１重量％のラウリルメタクリラートは、悪臭アコードによってトイレ／浴室の悪臭の知覚の低減を増強するようであり、先の配合物５および配合物６を用いた場合に被験者によって認められたトイレ／浴室の悪臭の知覚低減の程度は、先の配合物４を用いた場合に被験者によって認められたトイレ／浴室の悪臭の知覚の低減と比較して、増強するように思われる。トイレ／浴室の悪臭の知覚低減の類似の増強は、バンブーレイン芳香物質においても認められ、先の配合物８および配合物９を用いた場合に被験者によって認められたトイレ／浴室の悪臭の知覚低減の程度は、先の配合物７を用いた場合に被験者によって認められたトイレ／浴室の悪臭の知覚低減と比較して増強した。
【００６０】
実施例３：本明細書に提示される特定の態様による組成物を用いた悪臭低減
応用実験セットアップにおいて、ｑＰＯＤ（登録商標）技術（Ｑ  Ｒｅｓｅａｒｃｈ  Ｓｏｌｕｔｉｏｎｓが特許権を取得したＰｏｒｔａｂｌｅ  Ｏｌｆａｃｔｉｖｅ  Ｅｖａｌｕａｔｉｏｎ  Ｄｅｖｉｃｅｓ）を使用した。芳香および風味に特化した空気処理能を有するこのｑＰＯＤ（登録商標）可動式香気テスター評価ツールは、悪臭評価のための実際の生活条件を模倣することを試行している。このことは、近年、Ｐｅｒｆｕｍｅｒ  ＆  Ｆｌａｖｏｒｉｓｔ，３８，Ａｕｇｕｓｔ  ２０１６，３８〜３９において説明された。示されている例のセットアップについて、典型的にはｑＰＯＤ（登録商標）ユニットのうちの４つを適用した。第１のユニットにおいて、パネリストにとって公知の、個々の純粋な悪臭を評価した（１００％）。第２のユニットにおいて、個々の適用でパネリストにとって未知の０．１重量％のラウリルメタクリラートを含有する芳香を嗅いでもらった。第３のユニットにおいて、個々の適用における実際の実験（悪臭＋０．１重量％のラウリルメタクリラートを含有する芳香）を検査した。また、第４のユニットにおいて、純粋な悪臭を再度、ただし今度はパネリストにとって未知の悪臭を嗅いでもらった。
【００６１】
応用実験セットアップにおいて台所の悪臭低減を評価するために、複雑な純粋な悪臭参照物をｑＰＯＤ（登録商標）ユニットのうちの１つの中に入れた。第２のユニットにおいて、燃焼モードにある香り付きキャンドル（悪臭なし、０．１重量％のラウリルメタクリラートを含有する５重量％の芳香物質を含む）を入れた。第３のユニットにおいて、悪臭を燃焼中の香り付きキャンドル（０．１重量％のラウリルメタクリラートを含有する５重量％の芳香物質を含む）と一緒に入れた。第４のユニットにおいて、純粋な悪臭を再度、ただし今度はパネリストにとって未知のまま入れた。この数を１００％に正規化し、低減についての参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。５８．３％の有意な低減があった。本実験において、芳香強度を５３．３％と評価した。
【００６２】
図５は、セットアップがどのように実施され、パネルが悪臭低減をどのように格付けしたかを例示的に示す。パネリストにとって公知の純粋な悪臭の評価（１００％）を示し（左）、また、パネリストにとって未知の純粋な芳香（０．１重量％のラウリルメタクリラートを含有する５重量％の芳香物質を含む）（６１．７％）を左から２番目に、実際の実験を左から３番目に、またもパネリストにとって未知の純粋な悪臭（７６．１％）を右手側に示す。この数を１００％に正規化して、低減を計算する。
【００６３】
応用実験セットアップにおいてトイレの悪臭低減を評価するために、ｑＰＯＤ（登録商標）ユニットのうちの１つの中に複雑な純粋な悪臭参照物を入れた。第２のユニットにおいて、燃焼中の香り付きキャンドル（０．１重量％のラウリルメタクリラートを含有する５重量％の芳香物質を含む）（悪臭なし）を入れた。第３のユニットにおいて、悪臭を、燃焼中の香り付きキャンドル（０．１重量％のラウリルメタクリラートを含有する５重量％の芳香物質を含む）と一緒に入れた。第４のユニットにおいて、純粋な悪臭だが今度はパネリストにとって未知の悪臭を入れた。この数を１００％に正規化し、低減について参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。５０．７％の有意な低減があった。本実験において、芳香強度を４７．２と評価した。
【００６４】
図６は、セットアップをどのように実施し、パネルがどのように悪臭低減を格付けしたかを例示的に示す。パネリストにとって公知の純粋な悪臭の評価（１００％）を示し（左）、また、パネリストにとって未知の純粋な芳香（０．１重量％のラウリルメタクリラートを含有する５重量％の芳香物質を含む）（７０．３％）を左から２番目に、実際の実験を左から３番目に、またもパネリストにとって未知の純粋な悪臭（８７．８％）を右手側に示す。この数を１００％に正規化して低減を計算した。
【００６５】
応用実験セットアップにおいて台所の悪臭低減を評価するために、ｑＰＯＤ（登録商標）ユニットのうちの１つの中に複雑な純粋な悪臭参照物を入れた。第２のユニットにおいて、芳香付きステアラートゲル（０．１重量％のラウリルメタクリラートを含有する５重量％の芳香物質を含む）（悪臭なし）を入れた。第３のユニットにおいて、悪臭を芳香付きステアラートゲル（０．１重量％のラウリルメタクリラートを含有する５重量％の芳香物質を含む）と一緒に入れた。第４のユニットにおいて、純粋な悪臭を再度、ただし今度はパネリストにとって未知の悪臭を入れた。この数を１００％に正規化し、いかなる低減についても参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。２９．６％の有意な低減があった。本実験において、芳香強度を４２．４％と評価した。
【００６６】
応用実験セットアップにおいてトイレの悪臭低減を評価するために、ｑＰＯＤ（登録商標）ユニットのうちの１つの中に複雑な純粋な悪臭参照物を入れた。第２のユニットにおいて、芳香付きのステアラートゲル（０．１重量％のラウリルメタクリラートを含有する５重量％の芳香物質を含む）（悪臭なし）を入れた。第３のユニットにおいて、悪臭を芳香付きのステアラートゲル（０．１重量％のラウリルメタクリラートを含有する５重量％の芳香物質を含む）と一緒に入れた。第４のユニットにおいて、純粋な悪臭を再度、ただし今度はパネリストにとって未知の悪臭を入れた。この数を１００％に正規化し、いかなる低減についても参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。２２．５％の有意な低減があった。本実験において、芳香強度を３７．９％と評価した。
【００６７】
応用実験セットアップにおいて台所の悪臭低減を評価するために、ｑＰＯＤ（登録商標）ユニットのうちの１つの中に複雑な純粋な悪臭参照物を入れた。第２のユニットにおいて、芳香付きのリードディフューザ（０．１重量％のラウリルメタクリラートを含有する１８重量％の芳香物質を含む）（悪臭なし）を入れた。第３のユニットにおいて、悪臭を芳香付きのリードディフューザ（０．１重量％のラウリルメタクリラートを含有する１８重量％の芳香物質を含む）と一緒に入れた。第４のユニットにおいて、純粋な悪臭を再度、ただし今度はパネリストにとって未知の悪臭を入れた。この数を１００％に正規化し、いかなる低減についても参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。３６．０％の有意な低減があった。本実験において、芳香強度を５１．８％と評価した。
【００６８】
応用実験セットアップにおいてトイレの悪臭低減を評価するために、ｑＰＯＤ（登録商標）ユニットのうちの１つの中に複雑な純粋な悪臭参照物を入れた。第２のユニットにおいて、芳香付きのリードディフューザ（０．１重量％のラウリルメタクリラートを含有する１８重量％の芳香物質を含む）（悪臭なし）を、２つの標準的なエアゾールブロッター（３×５インチ）上に噴霧して入れた。第３のユニットにおいて、悪臭を芳香付きのリードディフューザ（０．１重量％のラウリルメタクリラートを含有する１８重量％の芳香物質を含む）と一緒に入れた。第４のユニットにおいて、純粋な悪臭を再度、ただし今度はパネリストにとって未知の悪臭を入れた。この数を１００％に正規化し、いかなる低減についても参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。４８．２％の有意な低減があった。本実験において、芳香強度を６１．０％と評価した。
【００６９】
応用実験セットアップにおいて台所の悪臭低減を評価するために、ｑＰＯＤ（登録商標）ユニットのうちの１つの中に複雑な純粋な悪臭参照物を入れた。第２のユニットにおいて、芳香付きのルームスプレー（０．１重量％のラウリルメタクリラートを含有する５重量％の芳香物質を含む）（悪臭なし）を入れた。第３のユニットにおいて、悪臭をエアゾールブロッター上の芳香付きルームスプレー（０．１重量％のラウリルメタクリラートを含有する５重量％の芳香物質を含む）と一緒に入れた。第４のユニットにおいて、純粋な悪臭を再度、ただし今度はパネリストにとって未知の悪臭を入れた。この数を１００％に正規化し、いかなる低減についても参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。６０．３％の有意な低減があった。本実験において、芳香強度を５２．１％と評価した。
【００７０】
図７は、セットアップをどのように実施し、パネルがどのように悪臭低減を格付けしたかを例示的に示す。パネリストにとって公知の純粋な悪臭の評価（１００％）を示し（左）、同様にパネリストにとって未知の純粋な芳香（０．１重量％のラウリルメタクリラートを含有する５重量％の芳香物質を含む）（７１．０％）を左から２番目として、実際の実験を左から３番目として、かつこれもまたパネリストに未知の純粋な悪臭（８８．６％）を右手側に示す。この数を１００％に正規化して低減を計算した。
【００７１】
応用実験セットアップにおいてトイレの悪臭低減を評価するために、ｑＰＯＤ（登録商標）ユニットのうちの１つの中に複雑な純粋な悪臭参照物を入れた。第２のユニットにおいて、芳香付きのルームスプレー（０．１重量％のラウリルメタクリラートを含有する５重量％の芳香物質を含む）（悪臭なし）を、２つの標準的なエアゾールブロッター（３×５インチ）上に噴霧して入れた。第３のユニットにおいて、悪臭をエアゾールブロッター上の芳香付きのルームスプレー（０．１重量％のラウリルメタクリラートを含有する５重量％の芳香物質を含む）と一緒に入れた。第４のユニットにおいて、純粋な悪臭を再度、ただし今度はパネリストにとって未知の悪臭を入れた。この数を１００％に正規化し、いかなる低減についても参照線として使用したことに留意することは重要である。０（悪臭なし）〜１０（高レベルの悪臭）の悪臭についての、および０（芳香の匂いなし）〜１０（最強の匂いの芳香）の芳香についての格付けシステムを適用した。官能パネルは、平均して１５〜２０名からなっていた。５２．８％の有意な低減があった。本実験において、芳香強度を５５．８％と評価した。
【００７２】
図８は、セットアップをどのように実施し、パネルがどのように悪臭低減を格付けしたかを例示的に示す。パネリストに公知の純粋な悪臭の評価（１００％）を示し（左）、また、パネリストにとって未知の純粋な芳香（０．１重量％のラウリルメタクリラートを含有する５重量％の芳香物質を含む）（６９．５％）を左から２番目に、実際の実験を左から３番目に、これもまたパネリストに未知の純粋な悪臭（８４．７％）を右手側に示す。この数を１００％に正規化して低減を計算した。
【００７３】
これらの応用実験は、初期の結果を確認し、かつ最終的な芳香の一部として個々の悪臭アコードが全体的に、台所およびトイレの悪臭を低減させるのに有意に作用することを示している。これらの実験から得られる結論は、活性のある悪臭低減と、０．１重量％のラウリルメタクリラートを含有する強力な芳香材料により悪臭を「マスキングする」および／または化学的に改質することとを組み合わせることによって、悪臭低減効果が達成されると解釈される。パネリストが、ｑＰＯＤ（登録商標）第４番ユニットの中には実際に何が入っていたのか知らない場合には、彼らが純粋な悪臭をこれ以上ないほど十分に高いものとして格付けしなかったことは注目すべきである。この「心理学的」効果を考慮に入れるために、第４番ユニットの個々の数を１００％に正規化した。悪臭低減についての第３番ユニット（実際の実験）の個々の数を適宜補正した。
【００７４】
実施例４：本明細書に提示される特定の態様による組成物を用いた悪臭低減
本実施例において、１重量％、５重量％、または１０重量％のいずれかのラウリルメタクリラートを含有する芳香配合物を調合し、台所臭またはトイレ／浴室の悪臭の知覚を低減するために５％（ｗ／ｗ）濃度でルームスプレーにおいて使用される配合物の能力を評価した。本結果をそれぞれ図９および図１０に示す。
【００７５】
総括すると、これらのデータは、ラウリルメタクリラートが用量依存的な様式で悪臭の知覚を低減することを示唆している。しかしながら、０．５％のラウリルメタクリラート単独では、芳香およびラウリルメタクリラートを含有する配合物において認められる悪臭の低減と比較して、悪臭の知覚を低減することがほとんどできなかった。
【００７６】
「例」または「例示としての」という語は、本明細書において、例、場合、または実例としての役割を担うことを意味するために使用される。「例」または「例示としての」として本明細書で説明されるいかなる態様または設計も、他の態様または設計を上回って好ましい、または有利であると解釈されるとは必ずしも限らない。むしろ、「例」または「例示としての」という語の使用は、具体的な様式における概念を表すことを意図している。本出願において使用する場合、「または」という用語は、排他的な「または」よりもむしろ包含する「または」を意味するよう企図されている。すなわち、特に指定されない限り、または文脈から明らかでない限り、「ＸはＡまたはＢを含む」は、自然に包含する順序交換のいずれも意味することが意図される。すなわち、ＸがＡを含み、ＸがＢを含み、またはＸがＡおよびＢの両方を含む場合、「ＸはＡまたはＢを含む」は、上述の場合のいずれかのもとで満たされる。加えて、本出願および添付の特許請求の範囲において使用される「ａ」および「ａｎ」という冠詞は、特に指定されない限り、または単数形に用いられることが文脈から明らかでない限り、一般に「１つ以上」を意味するものと解釈されるべきである。「態様」または「一態様」に対する本明細書の各所での参照は、該態様と関連して説明される特定の特長、構造、または特徴が少なくとも一態様に含まれることを意味する。したがって、本明細書の各所での種々の場における「態様」または「一態様」という句の出現は、同じ態様に対して必ずしもすべて参照しているわけではない。
【００７７】
本明細書の各所で引用される刊行物は、それらを全体として参照することにより本明細書において援用される。本発明の種々の態様は、上記で例および好ましい態様を参照することによって説明されてきたが、本発明の範囲は、上記の説明によって定められるのではなく、特許法の原理の下で適切に解釈される、以下の特許請求の範囲によって定められると認識されるべきである。
【図１】
2020520777.tif 000002
【図２】
2020520777.tif 000003
【図３】
2020520777.tif 000004
【図４−１】
2020520777.tif 000005
【図４−２】
2020520777.tif 000006
【図５】
2020520777.tif 000007
【図６】
2020520777.tif 000008
【図７】
2020520777.tif 000009
【図８】
2020520777.tif 000010
【図９】
2020520777.tif 000011
【図１０】
2020520777.tif 000012
【国際調査報告】
2020520777.tif 000013
2020520777.tif 000014
2020520777.tif 000015